(57)【特許請求の範囲】
【請求項１】
航空機が着水した際に、機内と機外とを連通する連通路を介した前記機内への水の流入を防止する装置であって、
前記連通路に、前記連通路を流れる流体が通過するメッシュ部を備えるとともに、
前記メッシュ部が、前記連通路の前記機外側の端部または前記端部の近傍に位置している、
ことを特徴とする航空機の水流入防止装置。
【請求項２】
着水時、水に浮遊する物体が前記メッシュ部に目詰りすることで、
前記連通路を介した前記機内への水の流入が防止される、
ことを特徴とする請求項１に記載の航空機の水流入防止装置。
【請求項３】
前記連通路は、前記機内の気圧を調整する気圧調整弁の弁体が位置する流路である、
ことを特徴とする請求項１または２に記載の航空機の水流入防止装置。
【請求項４】
航空機が着水した際に、機内と機外とを連通する連通路を介した前記機内への水の流入を防止する装置であって、
前記連通路に、前記連通路を流れる流体が通過するメッシュ部と、
水と共に流動可能な粒子を収容する容器と、を備え、
前記容器は、着水時に開放される、
ことを特徴とする航空機の水流入防止装置。
【請求項５】
前記容器は、
前記メッシュ部に対して、
着水時に前記連通路内と前記連通路の周囲との圧力差に基づいて前記連通路内に流入する水の上流側に位置している、
ことを特徴とする請求項４に記載の航空機の水流入防止装置。
【請求項６】
前記容器の少なくとも一部は、
水に溶解する特性、および水圧により破断する特性の少なくとも一方を有し、
前記特性が働くことで前記容器が開放される、
ことを特徴とする請求項４または５に記載の航空機の水流入防止装置。
【請求項７】
前記粒子として、
水に対する比重が相違する２種類以上を用いる、
ことを特徴とする請求項４から６のいずれか一項に記載の水流入防止装置。
【請求項８】
前記粒子は、
水を含むと膨張する材料を用いて形成される、
ことを特徴とする請求項４から７のいずれか一項に記載の水流入防止装置。
【請求項９】
前記メッシュ部に対して、着水時に前記連通路内と前記連通路の周囲との圧力差に基づいて前記連通路内に流入する水の下流側に、前記メッシュ部とは別のメッシュ部を備え、
前記メッシュ部と、別の前記メッシュ部との間に区画された空間内に、
着水時に前記容器内から前記粒子が導入される、
ことを特徴とする請求項４から８のいずれか一項に記載の航空機の水流入防止装置。
【請求項１０】
航空機が着水した際に、機内と機外とを連通する連通路を介した前記機内への水の流入を防止する装置であって、
前記連通路に、前記連通路を流れる流体が通過するメッシュ部を備え、
前記メッシュ部は、
水を含むと膨張する材料を用いて形成される、
ことを特徴とする水流入防止装置。
【請求項１１】
請求項１から１０のいずれか一項に記載の水流入防止装置を備えることを特徴とする気圧調整弁。
【請求項１２】
請求項１１に記載の気圧調整弁を備えることを特徴とする航空機。
【発明の詳細な説明】
【技術分野】
【０００１】
本発明は、航空機の着水時に機能する水流入防止装置と、それを備えた気圧調整弁に関する。
【背景技術】
【０００２】
航空機には気圧調整弁が設けられており、その弁の開度を調整することにより飛行中の機内圧力の調整が行われている。この気圧調整弁は、飛行高度が低いときには開放されている。そのため、非常時に海や河川に着水した際、気圧調整弁から機内に水が流入し得る。
【０００３】
非常着水するに際して、操縦士は気圧調整弁を閉じる操作を行うことができる。しかし、非常事態に対処するため、それよりも操縦士が優先させる操作がある。
そこで、気圧調整弁を閉じる操作が行われないとしても、非常着水時に気圧調整弁を介した水の流入を防止する装置が提案されている（特許文献１）。特許文献１では、着水時に水中で浮上する浮力体が付いた蓋や、水に浸漬されると膨張する膨張体により気圧調整弁を閉じることが記載されている。
【先行技術文献】
【特許文献】
【０００４】
【特許文献１】特開２０１４−１９１７４号公報
【発明の概要】
【発明が解決しようとする課題】
【０００５】
特許文献１に記載された装置により、機内への水の流入を防止する一定の効果が見込まれるものの、航空機の信頼性向上、重量低減、および整備性等の観点から、機内への水の流入を防止する手段の拡充が望まれる。
本発明は、そういった要求に応えることのできる航空機用の水流入防止装置およびそれを備えた気圧調整弁を提供することを目的とする。
【課題を解決するための手段】
【０００６】
本発明は、航空機が着水した際に、機内と機外とを連通する連通路を介した機内への水の流入を防止する装置であって、連通路に、連通路を流れる流体が通過するメッシュ部を備える。本発明の一形態では、メッシュ部が、連通路の機外側の端部または機外側の端部近傍に位置していることを特徴とする。
【０００７】
本発明の水流入防止装置は、着水時、水に浮遊する物体がメッシュ部に目詰りすることで、連通路を介した機内への水の流入を防止することを特徴とする。
【０００８】
本発明の水流入装備装置は、機内の気圧を調整する気圧調整弁の弁体が位置する流路を介した機内への水の流入を防止するために好ましく利用することができる。
【０００９】
本発明の他の形態の水流入防止装置は、水と共に流動可能な粒子を収容する容器を備え、容器は、着水時に開放される。
その容器が、メッシュ部に対して、着水時に連通路内と連通路の周囲との圧力差に基づいて連通路内に流入する水の上流側に位置していることが好ましい。
着水時に容器を開放させるため、容器の少なくとも一部は、水に溶解する特性、および水圧により破断する特性の少なくとも一方を有することが好ましい。
粒子として、水に対する比重が相違する２種類以上を用いることが好ましい。
粒子は、水を含むと膨張する材料を用いて形成することができる。
【００１０】
本発明の水流入防止装置が、メッシュ部に対して、着水時に連通路内と連通路の周囲との圧力差に基づいて連通路内に流入する水の下流側に、メッシュ部とは別のメッシュ部を備え、メッシュ部と、別のメッシュ部との間に区画された空間内に、着水時に容器内から粒子が導入されることが好ましい。
メッシュ部と別のメッシュ部とを一体に形成することもできる。
【００１１】
本発明において、さらに他の形態では、水を含むと膨張する材料を用いてメッシュ部を形成することができる。
【００１２】
本発明の気圧調整弁は、上述の水流入防止装置を備えることを特徴とする。
本発明の航空機は、上述の気圧調整弁を備えることを特徴とする。
【発明の効果】
【００１３】
連通路内の大気圧と連通路の周囲の水圧との圧力差に基づいて連通路内に流入する水の流れに伴って、着水した場所に浮遊している機体の破片等がメッシュ部に流れ着いてメッシュ部の目詰りを生じさせる。それによって連通路を介した機内への水の流入を防止することができるので、機内の浸水を遅らせ、乗客および乗員が機外へと脱出するために必要な時間を確保することができる。
また、粒子を収容する容器を備えていると、浮遊物に頼らずにメッシュ部をより確実に目詰りさせることができる。
【図面の簡単な説明】
【００１４】
【図１】（ａ）は、航空機の機体を示す図である。（ｂ）および（ｃ）は、機体に備わる気圧調整弁のダクトに設置された第１実施形態の水流入防止装置を示す図である。（ｂ）は、（ａ）の破線の円形で囲んだ範囲を示す縦断面図である。
【図２】（ａ）〜（ｃ）は、着水時に水流入防止装置の金網が機体の破片等により目詰りを起こすことを説明するための図である。
【図３】（ａ）および（ｂ）は、金網の変形例を示す図である。
【図４】（ａ）および（ｂ）は、金網の変形例を示す図である。
【図５】（ａ）および（ｂ）は、第２実施形態の水流入防止装置を示す図である。
【図６】（ａ）および（ｂ）は、第２実施形態の水流入防止装置の容器から放出された粒子により金網が目詰まりを起こした状態を示す図である。
【図７】（ａ）〜（ｃ）は、容器の変形例を示す図である。
【図８】（ａ）および（ｂ）は、第２実施形態の変形例を示す図である。
【図９】（ａ）および（ｂ）は、金網の間隙と粒子とを示す図である。（ｃ）および（ｄ）は、粒子の形状の例を示す図である。
【図１０】第２実施形態の変形例を示す図である。
【図１１】（ａ）は、第３実施形態の水流入防止装置の容器から放出された水膨張性の粒子により金網が目詰まりを起こした状態を示す図である。（ｂ）は、表面に水膨張性の被膜が形成された金網を示す図である。
【図１２】第４実施形態の水流入防止装置の容器から金網と金網との間の区画内に粒子が導入された状態を示す図である。
【図１３】（ａ）および（ｂ）は、金網かごを備えた水流入防止装置を示す図である。
【図１４】（ａ）は、気圧調整弁の弁体よりも機内側に金網が設置された例を示す図である。（ｂ）は、本発明の変形例を示す縦断面図である。
【発明を実施するための形態】
【００１５】
以下、添付図面を参照しながら、本発明の実施形態について説明する。
図１（ａ）を参照し、各実施形態に共通する航空機１００の構成について簡単に説明する。
航空機１００は、胴体１０１と、主翼１０２とを備えている。
胴体１０１の内部に設置されたフロア１０３の上方の空間１０４（床上空間）は、客室、操縦室、貨物室等に区画されている。床上空間１０４および床下空間１０５は、航空機に搭載された図示しない空調システムにより与圧されている。
【００１６】
胴体１０１の下部には、主脚１０６をはじめとする種々の装備品を収容するとともに主翼１０２の中央部が配置されるベイ１０７が形成されている。ベイ１０７はフェアリング１０８により覆われている。フェアリング１０８の内側は与圧されていない。フェアリング１０８の内側と外側とは開口や間隙を介して連通している。
ベイ１０７は、機内の与圧空間と、与圧されていない外部空間とを隔てる圧力隔壁１０９（図１（ｂ））により区画されている。
【００１７】
航空機１００は、機内の与圧空間の気圧を調整する気圧調整弁１（図１（ｂ））を胴体１０１の下部に備えている。
空調システムは、図示しない航空機のエンジンからの抽気を熱源および圧力源として、機内の空調および与圧を行う。
空調システムは、気圧調整弁１の開度を調整することにより、機内を所定の気圧範囲に保つ。図１（ｂ）に細い矢印で示すように、気圧調整弁１を介して機内と機外とで空気が出入りする。
【００１８】
気圧調整弁１は、圧力隔壁１０９の内側（機内）と外側（機外）とを連通する円筒状のダクト２と、ダクト２の内側に配置される弁体３とを備えている。ダクト２は、圧力隔壁１０９を水平方向に貫通している。
気圧調整弁１は、弁体３が軸３Ａを中心に回転することによりダクト２内の流路が開閉されるバタフライバルブ(butterfly valve)である。弁体３が実線で示す位置にあるとき気圧調整弁１は全開の状態にある。弁体３は、図示しないアクチュエータにより、気圧調整弁１の開度に対応する位置まで駆動される（例えば、一点鎖線で示す位置）。
【００１９】
気圧調整弁１として、シャッタバルブ等、公知の種々のバルブを採用することができる。
ダクト２は、適宜な形状に定めることができる。例えば、ダクト２の機内側の端部２Ａをベルマウス状に形成することができる。
【００２０】
冗長性を確保するために、圧力隔壁１０９に複数の気圧調整弁１を設置することができる。
【００２１】
航空機１００が非常着水すると、水面との衝突によりフェアリング１０８が破損し、胴体１０１の下部が水に浸かる。そのとき気圧調整弁１を介して、図１（ｂ）に白抜きの矢印で示すように機内へと水が流入することで機内が浸水するのを避ける必要がある。
ここで、操縦士が気圧調整弁１を閉じる操作を行うことができるが、その操作が遅れることもありうる。また、非常着水に先立ち航空機１００が衝撃を受けていると、気圧調整弁１の制御系が故障していて、操縦士が操作を行っても弁体３を作動させることができない場合もありうる。
以下で説明する各実施形態では、気圧調整弁１を閉じる操作が遅れたり制御系の故障により弁体３が作動しないとしても、気圧調整弁１を介した機内への水の流入を防止することが可能な装置について説明する。
【００２２】
〔第１実施形態〕
第１実施形態に係る水流入防止装置１０は、図１（ｂ）および（ｃ）に示すように、ダクト２の機外側に突出した端部２Ｂに、ダクト２の開口２Ｃの形状に対応した円形の金網１１を備えている。
なお、図１（ｃ）は、図１（ｂ）をIｃの方向から示す図である。図１（ｃ）では弁体３の図示を省略している。他の同様の図でも同様である。
【００２３】
金網１１は、アルミニウム合金等の金属細線からメッシュ状に形成されており、ダクト２の軸線と交差する向きで（本実施形態では直交する向きで）端部２Ｂに設置されている。例えば、金網１１の周縁部に環状の枠体を取り付け、その枠体をダクト２の端部２Ｂにファスナ等で締結することにより、金網１１をダクト２に設置することができる。金網１１は、端部２Ｂに対して少しダクト２の内側に退いた位置に設置することもできる（図１０参照）。
ダクト２を介して機内と機外とを出入りする空気は、金網１１における多数の間隙を通過する。
【００２４】
航空機１００が非常着水すると、上述したようにフェアリング１０８が破損し、ダクト２の機外側の開口２Ｃの周りに水が到達する。そのとき、ダクト２内の大気圧に対して水圧が必ず大きいので、図２（ａ）に矢印で示すように、周囲の水が開口２Ｃからダクト２内に流入する。その水の流れに伴って、水に浮遊するフェアリング１０８の破片等の浮遊物１２もダクト２の開口２Ｃに向かう。それらの浮遊物１２が、図２（ｂ）および（ｂ）に示すように金網１１に捕捉されると、金網１１が目詰りを起こす。
浮遊物１２は、水圧により金網１１に張り付く。それによって気圧調整弁１を介した機内への水の流入が防止される。
【００２５】
本明細書において、水の流入防止とは、水の流入が完全に阻止されることのみを意味するものではなく、水が流入したとしてもその量が軽減されることをも包含している。
金網１１に捕捉される浮遊物１２としては、破損した機体（フェアリング１０８）の他、例えば、水草や海藻、流木、ゴミ等、着水した場所に浮遊している物体を挙げることができる。
【００２６】
気圧調整弁１以外の箇所、例えば、非常着水時に破損した機体の一部や部材同士の接合箇所などから機内に水が流入することで、床下空間１０５の浸水が徐々に進行するとしても、水流入防止装置１０によりダクト２の開口２Ｃが塞がれていることで、浸水の速度を遅らせることができる。そのため、乗客および乗員が機外へと脱出するために必要な時間を確保することができる。
【００２７】
本実施形態の水流入防止装置１０は、着水直後に破損する機体の一部や、着水した場所に存在する物体によって目詰りを起こす金網１１を備えているだけで、非常着水時における機内への水の流入を防止することができる。
したがって、同様の目的から、気圧調整弁１の付近で水を検知するセンサと、センサによる水の検知信号を受けてダクト２の開口２Ｃを塞ぐ電磁弁と、センサおよび電磁弁を繋ぐ配線とを備えた構成と比べて、軽量化を図ることができる。
しかも、そういった電気的な装置と比べて、本実施形態の水流入防止装置１０は、衝撃を受けても故障する可能性が低いので、非常着水時に確実に作動させることができる。
さらに、電気的な装置を用いる場合は定期的な整備を必要とし、修理や交換を行うこととなるのに対して、機体に一旦水流入防止装置１０を装備したならば、そのまま、整備を要することなく機体の寿命を全うすることが可能である。
【００２８】
本実施形態に示す気圧調整弁１が設置される機体の位置は、一例に過ぎず、与圧空間と外部空間とを隔てる適宜な隔壁（例えば、胴体１０１の後部に設けられる圧力隔壁）に気圧調整弁１を設置することができる。
【００２９】
水流入防止装置１０は、設置されるダクト２の向きを問わず、ダクト２を介した機内への水の流入を防止することができる。
つまり、本実施形態ではダクト２の開口２Ｃは後方（尾翼側）を向いているが、それとは逆に、ダクト２の開口２Ｃが前方（機首側）を向いていてもよいし、ダクト２の開口２Ｃが上方を向いていたり、下方を向いていてもよい。いずれの場合であっても、上記で説明したのと同様に、大気圧と水圧との圧力差に基づいてダクト２内に流入する水の流れに伴って金網１１に到達した浮遊物１２により金網１１が目詰りすることで、機内への水の流入を防止することができる。
【００３０】
金網１１は、必ずしも平坦に形成されている必要はなく、図３（ａ）に示すように、ダクト２の内側に向けて凹んでいたり、それとは逆に、図３（ｂ）に示すように、ダクト２の端部２Ａを基準として機外側に凸となるように突出していてもよい。
【００３１】
金網１１が、図１（ｂ）、図３（ａ）および（ｂ）に示すようにダクト２の機外側の端部２Ｂまたは端部２Ｂの近傍に位置していると、金網１１に到達したダクト２の中には入って行き難い大きな浮遊物１２と開口２Ｃとの隙間を、ダクト２の中に入って行き易い小さな浮遊物１２が埋めるようになる。したがって、浮遊物１２の大きさの違いを利用して、金網１１を確実かつ迅速に目詰りさせることができる。
【００３２】
金網１１に限らず、着水時に通過する水の力に耐え、浮遊物１２を受け止めることのできる剛性を有した適宜なメッシュ部を用いることができる。そのメッシュ部を、例えば、樹脂材料や繊維強化樹脂から形成することができる。その場合は、メッシュを形成する線同士を一体に成形することができる。
【００３３】
また、金網１１のように二次元の格子状に形成されたものに限らず、図４（ａ）に示すように、一方向に沿って平行に並んだ直線１３１からなる部材１３を水流入防止装置１０に用いることもできる。本明細書における「メッシュ部」にはこのような部材１３も含まれる。
【００３４】
さらに、図４（ｂ）に示すように、波状の線材１４１を用いてメッシュ状部材１４を形成することもできる。波状の線材１４１には浮遊物１２が引っ掛かって保持され易い。
【００３５】
〔第２実施形態〕
次に、図５および図６を参照し、本発明の第２実施形態について説明する。
以下、第１実施形態とは相違する事項を中心に説明する。
第２実施形態では、金網１１を目詰りさせる粒子１５を着水に備えて用意しておく。
第２実施形態の水流入装置２０は、図５（ａ）および（ｂ）に示すように、金網１１と、水中で水と共に流動可能な多数の粒子１５を収容する容器１６とを備えている。
【００３６】
粒子１５の密度は、水の密度と同程度に設定されている。そのため、粒子１５は水中で大きく浮いたり大きく沈んだりすることなく、水の流れに伴って流動する。
粒子１５には、種々の樹脂材料を用いることができる。一例を挙げるとポリエチレン、ポリプロピレン、ポリスチレン、ナイロン、アクリル等、水に対する比重が少し小さいか少し大きい樹脂材料から粒子１５を形成することができる。
【００３７】
容器１６は、図５（ａ）および（ｂ）に示すように、上方が開放された箱状の容器本体１６１と、容器本体１６１の開口１６１Ａを封止する蓋１６２とを備えている。
容器本体１６１は、図示しないブラケットによりダクト２の端部２Ｂの下端に設置されている。容器本体１６１の開口１６１Ａは金網１１の直下に位置している。容器本体１６１の幅は、図５（ｂ）に示すようにダクト２の開口２Ｃの直径と同等の寸法に設定することができる。
【００３８】
フィルム状に形成される蓋１６２は、開口１６１Ａより粒子１５を収容した状態の容器本体１６１内を密閉している。そのため、ダクト２の開口２Ｃから吹き出す空気や機体の振動により粒子１５が容器１６内から飛び出すことなく、容器１６内に粒子１５が保持される。
蓋１６２は容器１６内を気密に保ち、空気中に含まれるガスへの暴露による粒子１５の劣化（割れ等）を防止する。但し、その限りではなく、蓋１６２を通気性のあるメッシュ状に形成することもできる。
蓋１６２は、容器本体１６１の開口１６１Ａの周縁部に、例えば、接着、圧着等の適宜な方法で接合されている。
【００３９】
蓋１６２は、例えば、セルロース等の水溶性のフィルムから形成されており、非常着水時に水に浸漬されると溶解する。
したがって、図６（ａ）および（ｂ）に示すように、非常着水時には、容器本体１６１の開口１６１Ａが開放された状態となる。
上述したように、ダクト２内の大気圧と水圧との圧力差に基づいて、周囲の水がダクト２内へと流入すると、その流れに乗って粒子１５が容器本体１６１から放出されるとともに、開口２Ｃへと向かい、金網１１により捕捉される。
粒子１５に加えて、着水した場所に存在していた浮遊物１２も金網１１により捕捉される。
【００４０】
もし、多数の粒子１５が金網１１の特定の領域（例えば、中央部）に集中したとしても、ある粒子１５により金網１１の間隙１１Ａ（網目）が詰まり、その隣の間隙１１Ａを通る水に伴われた粒子１５によりその間隙１１Ａも詰まり、といったことが続けて起こる結果、粒子１５が分散する。
【００４１】
また、着水した水が淡水であっても海水であっても水流入防止を十分に図る観点より、淡水の流れと共に流動するために淡水と同等の密度を有する粒子１５と、淡水よりも密度が大きい海水の流れと共に流動するために海水と同等の密度を有する粒子１５とを用いることも好ましい。
【００４２】
本実施形態によれば、容器１６内に用意された粒子１５によって金網１１を目詰りさせることができるので、着水した場所に適当な浮遊物１２が存在しなかったり、存在していても金網１１の全体を目詰りさせるには十分ではなかったとしても、ダクト２を介した機内への水の流入をより確実に防止することができる。
【００４３】
容器１６の形状は適宜に定めることができる。
例えば、図７（ａ）および（ｂ）に示すように、容器本体１６１の壁を開口２Ｃのより近くまで延長することで、ガイド壁１６５を作ることができる。ガイド壁１６５により、容器１６内の粒子１５を開口２Ｃまで案内することができる。
また、図７（ｃ）に示すように、容器本体１６１をダクト２の外周部に沿って円弧状に形成することもできる。
【００４４】
非常着水時に、ダクト２内に流入する水の流れに伴って粒子１５を金網１１に向けて流動させることができる限りにおいて、容器１６が設置される位置、容器１６の開口１６１Ａの位置、および粒子１５の比重を適宜に定めることができる。
例えば、図８（ａ）に示す例では、ダクト２の端部２Ｂの上端に容器１６が設置されており、容器１６の開口１６１Ａは下方に向いている。
また、図８（ｂ）に示す例では、開口２Ｃを下方に向けた状態でダクト２が設置されており、容器１６の開口１６１Ａも下方に向いている。
図８（ａ）および図８（ｂ）に示すいずれの場合でも、金網１１に対して、着水時にダクト２内に流入する水の上流側に容器１６が位置している。そうすると、ダクト２内に流入する水の流れに伴って金網１１に引き寄せられるように容器１６内の粒子１５が流動するので、粒子１５により金網１１を目詰りさせることができる。
【００４５】
粒子１５の大きさについても、ダクト２の開口２Ｃに入り、金網１１を目詰りさせることができる限り、適宜に定めることができる。
例えば、図９（ａ）に示すように、金網１１の間隙１１Ａが長方形に形成されている例では、間隙１１Ａの短辺の長さＬ１よりも粒子１５の径を大きくすればよい。
また、図９（ｂ）に示すように、金網１１の間隙１１Ａが菱形に形成されている例では、間隙１１Ａの短い方の対角線の長さＬ２よりも粒子１５の径を大きくすればよい。
【００４６】
粒子１５の形状についても、上記で示した球体の他、図９（ｃ）に示す円柱や、図９（ｄ）に示すように表面に複数の突起を有する形状等、適宜に定めることができる。
容器１６に収容される個々の粒子１５の形状や大きさが同一である必要はない。
コストを抑えるために、樹脂成形の材料として用いられる砕いた樹脂片を粒子１５として用いることもできる。
【００４７】
容器１６の蓋１６２だけでなく、容器本体１６１を含めた容器１６全体を水溶性の材料から形成することもできる。
容器１６が必ずしも蓋１６２を備えている必要はない。例えば、水溶性の袋を容器１６として用いることができる。
【００４８】
容器１６の蓋１６２だけ、あるいは容器１６全体に、水圧により破断するものを用いることもできる。水圧により容器１６が開放されると、容器１６内から粒子１５が放出される。
以上より、容器１６の少なくとも一部が、水に溶解する特性と、水圧により破断する特性とのいずれか一方を備えていれば足りる。具体的には、容器１６の少なくとも一部に、セルロースを含む部材（例えば、紙）を用いることができる。
【００４９】
着水時に容器１６を開放させるため、図１０に示すように、板状の蓋１６３に、水中で浮くフロート１６４を付けることもできる。容器本体１６１に一端が取り付けられた蓋１６３は、平常時には、自重により容器本体１６１の開口１６１Ａを塞いでいる。その蓋１６３が、着水時にフロート１６４に作用する浮力により持ち上げられることで、容器１６が開放される。
【００５０】
〔第３実施形態〕
次に、図１１（ａ）を参照し、本発明の第３実施形態について説明する。
第３実施形態では、図１１（ａ）に示すように、水を含むと膨張する材料から粒子２５を形成している。
粒子２５としては、例えば、ポリアクリル酸ナトリウム系等の高吸水性高分子材料を用いることができる。
粒子２５は、第２実施形態の粒子１５と同様に、適切な比重が与えられているとともに、平常時には容器１６内に収容されている。容器１６内で粒子２５が吸湿して膨張することを避けるため、容器１６内が上述した蓋１６２（図５（ｂ））により気密に封止されていることが好ましい。
もし容器１６内が気密に封止されていないとしても、ダクト２から流出した機内の乾燥した空気が容器１６の周辺を流れることにより、容器１６内が乾燥した状態に保たれ易いので、容器１６内における粒子２５の膨張を抑えることができる。
【００５１】
第２実施形態と同様に、非常着水時、蓋１６２が水に溶解したり水圧により破断したりすると、ダクト２内に流入する水の流れに伴って容器１６内の粒子２５が容器１６の外に出る。そして、粒子２５は、自重の例えば数十倍〜１０００倍もの水を吸って膨張しながら、金網１１へと行き着く。
粒子２５が容器１６からスムーズに出た後に顕著に膨張するよう、粒子２５の吸水速度を適切に設定することが好ましい。
【００５２】
本実施形態によれば、吸水により膨張した粒子２５が金網１１の間隙や粒子２５間の隙間に充填されることで、金網１１をより十分に目詰りさせることができる。
また、１つの粒子２５が金網１１に到達するだけでも金網１１の複数の間隙に亘り目詰りを生じさせることができるので、容器１６を出た粒子群の一部がたまたま金網１１から逸れる方向に流れて行ってしまったとしても、残りの粒子２５により金網１１を十分に目詰りさせることができる。
【００５３】
水を吸って膨張する粒子２５を用いることにより、金網１１を全体的に目詰りさせるために必要な粒子２５の総数が、粒子２５が膨張しないと仮定した場合と比べて少ない。したがって、平常時における乾燥した状態の粒子２５の総重量と、粒子２５を収容するために必要な容積を持つ容器１６の重量とを抑えて、航空機の重量低減に寄与することができる。
【００５４】
粒子２５に水を含むと膨張する特性（以下、水膨張性）を与えるために、水膨張性を有する材料から粒子２５を形成する他、任意の材料から形成された粒子に水膨張性を有する材料による被膜を形成することもできる。
【００５５】
粒子２５に水膨張性を与えることに代えて、あるいはそれに加えて、メッシュ部に水膨張性を与えることもできる。
図１１（ｂ）に示す金網２１の表面には、水膨張性を有する樹脂材料による被膜２１１（例えば塗膜）が形成されている。着水時に金網２１が水に浸漬されると、被膜２１１が水を含んで膨張するため金網２１の間隙２１Ａが塞がれるか、少なくとも狭められる。
間隙２１Ａが狭められていると、金網２１に目詰まりを生じさせ易い。
【００５６】
メッシュ部に水膨張性を与えるために、水膨張性を有する材料からメッシュ部を形成することもできる。
【００５７】
〔第４実施形態〕
次に、図１２を参照し、本発明の第４実施形態について説明する。
第４実施形態の水流入防止装置３０は、ダクト２の端部２Ｂに対してダクト２の内側に少し退いた位置に設置される金網１１と、ダクト２の端部２Ｂに設置される金網３１と、金網１１，３１間に区画された空間Ｓ内に着水時に導入される粒子１５を収容する容器１６とを備えている。
【００５８】
容器１６は、ダクト２の端部２Ｂ付近における外周部の下部に設置されている。
容器１６は、ダクト２の外周部に沿って円弧状に形成されている（図７（ｃ）参照）。
ダクト２には、金網１１，３１間で肉厚方向に貫通する開口２Ｄが、容器１６の開口１６１Ａに対応した長さの分だけダクト２の周方向に沿って形成されている。この開口２Ｄを通じて着水時に容器１６内と空間Ｓとが連通する。
【００５９】
着水により容器１６の蓋１６２が水に溶解したり水圧で破断したりすると、ダクト２内に流入する水の流れにより粒子１５が容器１６内から金網１１，３１間の空間Ｓへと放出される。このとき、金網３１の存在により、粒子１５が金網１１から離れる方向へと流出せずに空間Ｓ内に留められるので、容器１６内の粒子１５を無駄なく使用して金網１１をより十分に目詰りさせることができる。
【００６０】
金網３１は、金網１１と同様に構成することもできるし、材料や間隙の大きさが金網１１とは異なっていてもよい。
金網１１と金網３１とが別体である必要はなく、これらを一体に形成することもできる。
粒子１５を捕捉する金網１１に対して、金網３１が、ダクト２内へと流入する水の流れの上流に位置していればよく、その位置関係の下、金網１１，３１を適宜な箇所に設置することができる。
【００６１】
図１３（ａ）および（ｂ）に示す例では、上記の金網１１に相当する部分３２１と、上記の金網３１に相当する部分３２２とを備えた金網かご３２を用いている。
図１３（ａ）に示すように、金網かご３２はダクト２の機外側の端面に設置されており、図１３（ｂ）に示すように、容器１６の上端に接続されている。別の形態として、容器１６全体を収容するように金網かごを下方に延長することもできる。
【００６２】
着水により容器１６の蓋１６２（図１３（ｂ））が水に溶解したり水圧で破断したりすると、上述したのと同様に、金網かご３２により区画された空間Ｓ内に容器１６内の粒子１５が放出される。そのため、金網かご３２により空間Ｓ内に留められる粒子１５を無駄なく使用して金網１１をより十分に目詰りさせることができる。
【００６３】
上記以外にも、本発明の主旨を逸脱しない限り、上記実施の形態で挙げた構成を取捨選択したり、他の構成に適宜変更することが可能である。
【００６４】
上記各実施形態とは異なり、図１４（ａ）に示すように、ダクト２の機内側の端部２Ａに金網１１を設置することもできる。その場合は、ダクト２内に水と共に流入した浮遊物１２や粒子１５が弁体３を通り越して金網１１へと到達することにより、金網１１を目詰りさせることができる。
【００６５】
ところで、図１４（ｂ）に示すように、ダクト２が圧力隔壁１０９の機外側には突出していない場合もある。図１４（ｂ）の例では、圧力隔壁１０９に形成された通気開口１１０にダクト２が機内側から接続されている。この例では、ダクト２および通気開口１１０により、機内と機外とを連通し、気圧調整弁１の弁体３が位置する流路１１１が構成されている。
その場合は、流路１１１の機外側の端部を形成する部材である圧力隔壁１０９に、金網１１や容器１６を設置することができる。
【００６６】
上記各実施形態で説明した水流入防止装置は、気圧調整弁の他にも、航空機の着水時に水が流入する可能性のある弁や開口に広く適用することができる。
【符号の説明】
【００６７】
１        気圧調整弁
２        ダクト（連通路）
２Ａ      端部
２Ｂ      端部
２Ｃ      開口
２Ｄ      開口
３        弁体
３Ａ      軸
１０      水流入防止装置
１１，３１      金網（メッシュ部）
１１Ａ    間隙
１２      浮遊物
１３      部材
１４      メッシュ状部材（メッシュ部）
１５      粒子
１６      容器
２０      水流入装置
２１      金網
２１Ａ    間隙
２５      粒子
３０      水流入防止装置
３１      金網
３２      金網かご
１００    航空機
１０１    胴体
１０２    主翼
１０３    フロア
１０４    床上空間
１０５    床下空間
１０６    主脚
１０７    ベイ
１０８    フェアリング
１０９    圧力隔壁
１１０    通気開口
１１１    流路（連通路）
１３１    直線
１４１    線材
１６１    容器本体
１６１Ａ  開口
１６２    蓋
１６３    蓋
１６４    フロート
１６５    ガイド壁
２１１    被膜
３２１    部分（メッシュ部）
３２２    部分（メッシュ部）
Ｓ        空間
【図１】
0006557482.tif 000002
【図２】
0006557482.tif 000003
【図３】
0006557482.tif 000004
【図４】
0006557482.tif 000005
【図５】
0006557482.tif 000006
【図６】
0006557482.tif 000007
【図７】
0006557482.tif 000008
【図８】
0006557482.tif 000009
【図９】
0006557482.tif 000010
【図１０】
0006557482.tif 000011
【図１１】
0006557482.tif 000012
【図１２】
0006557482.tif 000013
【図１３】
0006557482.tif 000014
【図１４】
0006557482.tif 000015